(57)【要約】      （修正有）【課題】失禁による尿漏れ防止と排尿行為の容易性を両立させる男性用失禁尿受具を提供する。【解決手段】収納空間部Ｓの開口部Ｓ１と隣接するアウターシート部２の伸縮変形可能な開口縁２ｃを、収納空間部Ｓの開口部Ｓ１と逆向きの閉鎖部Ｓ２へ向けて移動することにより、アウターシート部２と、その内面２ａに沿って着脱自在に取り付けた吸水性シート４が共に変形して陰茎挿入孔１ａが露出され、陰茎挿入孔１ａに陰茎を挿入したままで便器に向け排尿行為が可能となる。【選択図】図１
0003152833.tif 000002
【実用新案登録請求の範囲】
【請求項１】
陰茎挿入孔（１ａ）を有するインナーシート部（１）と、前記インナーシート部（１）と対向して該インナーシート部（１）との間に一方向へ開口する収納空間部（Ｓ）を形成するように設けられるアウターシート部（２）と、前記インナーシート部（１）及び前記アウターシート部（２）を身体の下腹部に取り付けるための着用手段（３）と、前記収納空間部（Ｓ）内に前記陰茎挿入孔（１ａ）を覆うように前記アウターシート部（２）の内面（２ａ）に沿って着脱自在に取り付けられる変形可能な吸水性シート（４）とを備え、前記アウターシート部（２）は、前記収納空間部（Ｓ）の開口部（Ｓ１）と隣接する開口縁（２ｃ）を伸縮変形可能に形成し、該開口縁（２ｃ）を前記収納空間部（Ｓ）の開口部（Ｓ１）と逆向きの閉鎖部（Ｓ２）へ向け移動することで、該アウターシート部（２）と前記吸水性シート（４）が共に変形して前記陰茎挿入孔（１ａ）を露出させるような配置としたことを特徴とする男性用失禁尿受具。
【請求項２】
前記収納空間部（Ｓ）の開口部（Ｓ１）を、着用状態で身長方向上向きに開口するように配置したことを特徴とする請求項１記載の男性用失禁尿受具。
【請求項３】
前記アウターシート部（２）の開口縁（２ｃ）に引き手（５）を突設したことを特徴とする請求項１又は２記載の男性用失禁尿受具。
【考案の詳細な説明】
【技術分野】
【０００１】
本考案は、尿を失禁する男性が使用して尿の漏出を防止するための男性用失禁尿受具に関する。
【背景技術】
【０００２】
従来、この種の男性用失禁尿受具として、一方向に開口部を有する尿受袋の対向するフロントシート部及びバックシート部が柔軟防水性シート又は柔軟多孔質疎水性シートの何れかからなり、バックシート部にペニス挿入孔が設けられ、該バックシート部の上端部に取付手段を設け、該取付手段を介して前記尿受袋が着用バンドに着脱自在に取着されるとともに、前記尿受袋の内部に吸水性材料が設けられるものがある（例えば、特許文献１参照）。
この男性用失禁尿受具の使用時には、先ず使用者の腰に着用バンドを周着し、次に着用バンド上に設けられた取付手段と、バックシート部の裏面上部に設けられた取付手段とを係止させて、尿受袋を着用バンドに固定することにより、男性用失禁尿受具が着用され、その上からブリーフなどの下着を穿いて尿受袋の先端部のズレを防止している。
そして、尿受袋の交換時には、着用バンドは周着したままでペニスをペニス挿入孔から引き抜き、取付手段をそれぞれ剥離して尿受袋を着用バンドから外し、次いで、新しい尿受袋を取着している。
【先行技術文献】
【特許文献】
【０００３】
【特許文献１】登録実用新案第３０６５２９３号号公報
【考案の概要】
【考案が解決しようとする課題】
【０００４】
このような従来の男性用失禁尿受具では、使用者が着用バンドを着用したままで尿受袋が交換可能となるため、布団上に寝たきりの老人など、下着など衣服の着脱を含め尿受袋の交換作業を介護者が行う場合には有用である。
しかし、高齢などの原因で失禁性の傷害を有するが、自身の意思で便器に向け排尿が行える比較的元気な者にとっては、本人の意思で排尿行為を行う度に、ズボンや下着を脱いでから尿受袋を取外す必要があって、その手間が面倒であるばかりでなく、尿受袋の取り外し行為に余計な時間が必要になるため、更に失禁し易くなるという問題がある。
【０００５】
本考案は、このような問題に対処することを課題とするものである。
すなわち、本考案は、尿受袋を交換可能に着用したことによる不具合を解消するとともに、失禁による尿漏れ防止と排尿行為の容易性を両立させること、陰茎挿入孔への陰茎の誘導過程と排尿行為までの準備過程を目で確認しながら容易でしかも確実に行うこと、便器への排尿行為を更にスムーズに行うこと、などを目的とするものである。
【課題を解決するための手段】
【０００６】
このような目的を達成するために本考案は、陰茎挿入孔を有するインナーシート部と、前記インナーシート部と対向して該インナーシート部との間に一方向へ開口する収納空間部を形成するように設けられるアウターシート部と、前記インナーシート部及び前記アウターシート部を身体の下腹部に取り付けるための着用手段と、前記収納空間部内に前記陰茎挿入孔を覆うように前記アウターシート部の内面に沿って着脱自在に取り付けられる変形可能な吸水性シートとを備え、前記アウターシート部は、前記収納空間部の開口部と隣接する開口縁を伸縮変形可能に形成し、該開口縁を前記収納空間部の開口部と逆向きの閉鎖部へ向け移動することで、該アウターシート部と前記吸水性シートが共に変形して前記陰茎挿入孔を露出させるような配置としたことを特徴とする。
前述した特徴に加えて、前記収納空間部の開口部を、着用状態で身長方向上向きに開口するように配置したことを特徴とする。
さらに前述した特徴に加えて、前記アウターシート部の開口縁に引き手を突設したことを特徴とする。
【考案の効果】
【０００７】
前述した特徴を有する本考案は、尿受袋を交換可能に着用したことによる不具合を解消できるとともに、収納空間部の開口部と隣接するアウターシート部の伸縮変形可能な開口縁を、収納空間部の開口部と逆向きの閉鎖部へ向けて移動することにより、アウターシート部と、その内面に沿って着脱自在に取り付けた吸水性シートが共に変形して陰茎挿入孔が露出され、陰茎挿入孔に陰茎を挿入したままで便器に向け排尿行為が可能となるので、失禁による尿漏れ防止と排尿行為の容易性を両立させることができる。
その結果、高齢などの原因で失禁性の傷害を有するが、自身の意思で便器に向け排尿が行える比較的元気な者にとっては有用であり、長時間に亘る外出も安心である。
【０００８】
さらに、収納空間部の開口部を、着用状態で身長方向上向きに開口するように配置した場合には、着用時において使用者が陰茎をインナーシート部の陰茎挿入孔に挿入する際に、開口部を開けることにより、該開口部が使用者の顔と対向するため、使用者が目で陰茎挿入孔の位置を確認しながら手で陰茎を陰茎挿入孔へ誘導することが可能となり、また排尿時には、アウターシート部の開口縁を収納空間部の閉鎖部へ向け移動することにより、アウターシート部と吸水性シートが共に使用者の目から離れる方向へ変形して、陰茎挿入孔の露出位置が使用者の目で確認可能になるとともに、陰茎挿入孔に挿入された陰茎の位置も使用者の目で確認可能になるので、陰茎挿入孔への陰茎の誘導過程と排尿行為までの準備過程を目で確認しながら容易でしかも確実に行うことができる。
その結果、陰茎の収納及び取り出しをスムーズに行えて安心感が向上する。
【０００９】
さらに、アウターシート部の開口縁に引き手を突設した場合には、この引き手を使用者が指で持つことにより、アウターシート部の開口縁の移動操作が容易になるため、ズボンや下着などを着たままでも陰茎挿入孔が容易に露出可能になるので、便器への排尿行為を更にスムーズに行うことができる。
その結果、排尿時における失禁を減らすことができる。
【図面の簡単な説明】
【００１０】
【図１】本考案の実施形態に係る男性用失禁尿受具の全体構成を示す正面側から見た斜視図である。
【図２】背面側から見た斜視図である。
【図３】排尿時を示す正面側から見た斜視図である。
【考案を実施するための形態】
【００１１】
以下、本考案の実施形態を図面に基づいて詳細に説明する。
本考案の実施形態に係る男性用失禁尿受具Ａは、図１〜図３に示すように、陰茎挿入孔１ａを有するインナーシート部１と、インナーシート部１と対向して該インナーシート部１との間に一方向へ開口する収納空間部Ｓを形成するように設けられるアウターシート部２と、インナーシート部１及びアウターシート部２を身体の下腹部に取り付けるための着用手段３と、収納空間部Ｓ内において陰茎挿入孔１ａを覆うようにアウターシート部２の内面２ａに沿って着脱自在に取り付けられる変形可能な材料からなる吸水性シート４とを備えている。
【００１２】
インナーシート部１及びアウターシート部２は、柔軟性シートや柔軟性フィルムなどの柔軟性材料で形成され、少なくとも収納空間部Ｓを挟んで対向するインナーシート部１の外面１ｂ及びアウターシート部２の内面２ａが防水性又は疎水性（撥水性）を有している。
すなわち、インナーシート部１は、その外面１ｂのみが防水性又は疎水性（撥水性）を有する柔軟性材料で形成されるか、或いは外面１ｂ及び内面１ｃが共に防水性又は疎水性（撥水性）を有する柔軟性材料で形成されている。
アウターシート部２は、その内面２ａのみが防水性又は疎水性（撥水性）を有する柔軟性材料で形成されるか、或いは内面２ａ及び外面２ｂが共に防水性又は疎水性（撥水性）を有する柔軟性材料で形成されている。
【００１３】
さらに、インナーシート部１及びアウターシート部２は、図１及び図２に示すように、身体の下腹部を覆うように略台形状や略三角形状などに裁断され、それらを重ね合わせ、その一辺を除く他辺部を縫合するか、或いは溶着などの固着手段で接着することにより、これらインナーシート部１及びアウターシート部２を一体化して、両者間には、一方向へ開口部Ｓ１を有する収納空間部Ｓが形成される。
収納空間部Ｓの開口部Ｓ１は、後述する着用手段３による着用状態で身長方向上向きに開口するように配置することが好ましい。
その他の例として、収納空間部Ｓの開口部Ｓ１を着用状態で身長方向と直交する左右方向のいずれか一方へ開口させることも可能である。
【００１４】
これら一体化されたインナーシート部１及びアウターシート部２は、後述する着用手段３により身体の下腹部に対し着脱自在に着用され、その着用状態で陰茎と対向するインナーシート部１の箇所には、陰茎挿入孔１ａを開設している。
陰茎挿入孔１ａの形状は、着用状態で使用者の身長方向へ長い長円形や楕円形に開穿して、陰茎だけでなく陰嚢も挿入可能することが好ましい。
その他の例として、陰茎挿入孔１ａの形状を陰茎のみが挿入可能な円形に開穿することも可能である。
また必要に応じて、陰茎挿入孔１ａは、その周縁を伸縮弾性部材などで形成することにより、陰茎との間に隙間が発生しないように保持することが好ましい。
【００１５】
着用手段３は、身体の腰Ｂの周りに巻き付けられて、一体化されたインナーシート部１及びアウターシート部２を身体の下腹部Ｃに対し着脱自在に取り付けて移動不能に保持するものであり、例えば褌タイプやパンツタイプなど、種々の形態が考えられる。
その一例として褌タイプの着用手段３は、使用者の腰Ｂの周りに巻き付けられる帯紐３ａと、この帯紐３ａの長手方向の途中からインナーシート部１の下部左右中間位置へ向けて略直交するように取り付けられる股紐３ｂとを備え、一体化されたインナーシート部１及びアウターシート部２の腰側部、すなわち図面では上部左右両端に帯紐３ａの長手方向両端部をそれぞれ連結し、帯紐３ａの長手方向中間位置とインナーシート部１の内面１ｃの陰茎挿入孔１ａよりも足側、すなわち図面では下部左右中央位置とに亘って股紐３ｂを架け渡している。
パンツタイプの着用手段３として、例えばブリーフやボクサートランクスなどの前面に対し、一体化されたインナーシート部１及びアウターシート部２を部分的に組み込むようにすることも可能である。
【００１６】
吸水性シート４は、収納空間部Ｓ内において使用者の陰茎Ｄから漏れ出た尿を吸水して貯留するものであり、一体化されたインナーシート部１及びアウターシート部２の間に形成される収納空間部Ｓ内に、その開口部Ｓ１から出し入れ可能で、しかも陰茎挿入孔１ａ及び陰茎挿入孔１ａに挿入された陰茎Ｄの周囲を覆うように、アウターシート部２の内面２ａに沿って着脱自在に取り付け可能な形態に形成される。
その具体例としては、綿や合成樹脂などの繊維からなるタオルやハンカチを必要に応じて折り重ねて使用することが好ましい。
その他の例として、吸水層と消臭層などを積層して一体化される吸水パッドを使用するか、或いは該吸水パッドと前述してタオルやハンカチなどを重ねて使用することも可能である。
このような吸水性シート４の吸水量は、約５０〜１２０ｃｃ又はそれ以上に設定することが好ましい。
【００１７】
また、吸水性シート４の大きさが収納空間部Ｓの大きさよりも小さい場合には、収納空間部Ｓ内で吸水性シート４が位置ズレする可能性があり、これを防止するために位置ズレ防止手段４ａを備えることが好ましい。
位置ズレ防止手段４ａとしては、例えば安全ピンなどの掛止手段や面ファスナーなど、吸水性シート４を移動不能に位置決めすることが可能であれば、その形態はどのようなものでも良い。
【００１８】
そして、アウターシート部２は、図３に示すように、収納空間部Ｓの開口部Ｓ１と隣接する開口縁２ｃを伸縮変形可能に形成し、該開口縁２ｂを収納空間部Ｓの開口部Ｓ１と逆向きの閉鎖部Ｓ２へ向け移動することで、アウターシート部２と吸水性シート４が共に変形して陰茎挿入孔１ａを露出させるような配置としている。
その具体例としては、インナーシート部１とアウターシート部２を同じ大きさで同形状に形成して重ね合わせるのではなく、アウターシート部２の開口縁２ｃを、インナーシート部１の開口縁１ｄよりも収納空間部Ｓの閉鎖部Ｓ２側へ向け位置が片寄るようにして、アウターシート部２の開口縁２ｃを予め陰茎挿入孔１ａと接近するように配置させることが好ましい。
【００１９】
さらに、アウターシート部２の開口縁２ｃには、引き手５を突設して、使用者の指などが引っ掛かり易くなるようにすることが好ましい。
【００２０】
このように構成された男性用失禁尿受具Ａを使用するには、先ず、使用者が足を着用手段３に通し腰Ｂに巻き付けて、一体化されたインナーシート部１及びアウターシート部２が使用者の下腹部Ｃを覆うように着用する。
ここで、使用者は、インナーシート部１の陰茎挿入孔１ａに陰茎Ｄを挿入して、陰茎Ｄの先端側及びその周囲が吸水性シート４で覆われるようにする。
このようにして男性用失禁尿受具Ａが着用された後、その上から例えばブリーフやボクサートランクスなどの下着（図示しない）を穿き、その上にズボン（図示しない）などを履くか、或いは下着なしで直接ズボンなどを穿く。
【００２１】
このような実施形態では、使用者が失禁すると、例えばタオルやハンカチ又は吸水パッドなどからなる吸水性シート４に尿が瞬時に吸水されて貯留される。
そのため、吸水性シート４の吸水量に至る前に、トイレなどで、持参した別の吸水性シート４に交換すれば、尿が収納空間部Ｓの外へ漏れ出ることがない。
また、排尿時には、先ず、ズボンなどのファスナー又はボタンを開け、下着を着用している場合には下着の開口部を開け、次に図３に示すように、アウターシート部２の開口縁２ｂを収納空間部Ｓの閉鎖部Ｓ２へ向け移動すると、アウターシート部２と吸水性シート４が共に移動変形して陰茎挿入孔１ａが露出され、開口縁２ｂを押圧し続けることにより、陰茎挿入孔１ａに陰茎Ｄを挿入したままで便器に向けて排尿することができる。
したがって、失禁による尿漏れを防止できるとともに排尿行為を容易に行うことができる。
以下、本考案の一実施例を図面に基づいて説明する。
【実施例】
【００２２】
この実施例は、図１〜図３に示すように、一体化されたインナーシート部１及びアウターシート部２を、褌タイプの着用手段３により使用者の腰Ｂに対して着脱自在に取り付け、インナーシート部１及びアウターシート部２の間に形成される収納空間部Ｓの開口部Ｓ１を、着用状態で身長方向上向きに開口するように配置した場合を示すものである。
【００２３】
図示例では、陰茎挿入孔１ａを長円形に開穿して、使用者の陰茎Ｄだけでなく陰嚢Ｅも収納空間部Ｓに挿入している。
アウターシート部２の開口縁２ｃには、弾性的に伸縮変形可能なゴム紐などが挿入される通し部を縫いつけることで、開口縁２ｃの全体が弾性的に伸縮変形可能となるようにしている。
【００２４】
さらに、アウターシート部２の開口縁２ｃには、引き手５を突設して、この引き手５を使用者が指で持ちながら、開口縁２ｃを収納空間部Ｓの閉鎖部Ｓ２へ向け動かすことが好ましい。
図示例では、アウターシート部２の開口縁２ｃの左右中央位置に、引き手５としてゴム紐又は伸縮変形不能な紐材を縫いつけ、その先端側がアウターシート部２の外面２ｂに沿って吊り下げられるようにするとともに、該先端にはリング５ａを設けることで、使用者の指などが引っ掛かり易くなるようにしている。
【００２５】
特に、吸水性シート４が変形し易いタオルやハンカチなどである場合には、その位置ズレ防止手段４ａとして図示例のように例えば安全ピンなどの掛止手段を、引き手５のゴム紐又は伸縮変形不能な紐材に対し着脱自在に取り付けることが好ましい。
【００２６】
また、インナーシート部１の開口縁１ｄにも同様に、着用手段３の帯紐３ａとして弾性的に伸縮変形可能なゴム紐などが挿入される通し部を縫いつけている。
着用手段３の帯紐３ａは、使用者の正面側又は側面側と対向する箇所に、例えばフックや面ファスナーなどからなる着脱可能な係止部３ｃを設けることで、使用者の胴回り寸法に合わせて長さを調整可能にすると同時に着脱を容易にしている。
股紐３ｂは、帯紐３ａと同様に弾性的に伸縮変形可能なゴム紐などで形成され、帯紐３ａと連係する長手方向一端に、帯紐３ａの長手方向中間位置に対して遊嵌状に挿通される環状部３ｄと、環状部３ｄに対して例えばフックや面ファスナーなどからなる着脱可能な係止部３ｅを設けることで、使用者の寸法に合わせて長さを調整可能にすると同時に着脱を容易にしている。
股紐３ｂにおいて使用者の肛門と対向する箇所には、肛門用パッド３ｆを設けて食い込みを防止することが好ましい。
【００２７】
このような実施例では、男性用失禁尿受具Ａの着用時において、使用者が陰茎Ｄをインナーシート部１の陰茎挿入孔１ａに挿入する際に、アウターシート部２の開口縁２ｃを使用者の下腹部Ｃから離れるように移動して、収納空間部Ｓの開口部Ｓ１を開けると、該開口部Ｓ１が使用者の顔と対向するため、使用者が目で陰茎挿入孔１ａの位置を確認しながら手で陰茎Ｄを陰茎挿入孔１ａへ誘導することができる。
さらに、排尿時には、図３に示すように、アウターシート部２の開口縁２ｃを収納空間部Ｓの閉鎖部Ｓ２へ向け移動すると、アウターシート部２と吸水性シート４が共に使用者の目から離れる方向へ移動変形して、陰茎挿入孔１ａの露出位置が使用者の目で確認可能になるとともに、陰茎挿入孔１ａに挿入された陰茎Ｄの位置も使用者の目で確認可能になる。
したがって、陰茎挿入孔１ａへの陰茎Ｄの誘導過程と排尿行為までの準備過程を目で確認しながら容易でしかも確実に行うことができるという利点がある。
【００２８】
また、アウターシート部２の開口縁２ｃに引き手５を突設した場合には、この引き手５を使用者が指で持つことにより、アウターシート部２の開口縁２ｃの移動操作が容易になるため、ズボンや下着などを着たままでも陰茎挿入孔１ａを容易に露出させることができる。
すなわち、使用者がファスナーなどを開け、下着を着用している場合には下着の開口部を開け、その開口から指を入れて、引き手５又はそれの先端のリング５ａを持って収納空間部Ｓの閉鎖部Ｓ２へ向け動かすことにより、アウターシート部２の開口縁２ｃが連動し、アウターシート部２と吸水性シート４が共に変形して陰茎挿入孔１ａが露出する。
したがって、便器への排尿行為を更にスムーズに行うことができるという利点がある。
【００２９】
なお、前示実施例では、アウターシート部２の開口縁２ｃに、弾性的に伸縮変形可能なゴム紐などが挿入される通し部を縫いつけることで、開口縁２ｃの全体が伸縮変形可能となるようにした場合を説明したが、それに限定されるものではなく、例えばアウターシート部２の全体を伸縮性に優れた材料で形成するなど、開口縁２ｃの全体が伸縮変形可能となれば、その形態はどのようなものでも良い。
【符号の説明】
【００３０】
Ａ  男性用失禁尿受具                Ｓ  収納空間部
Ｓ１  開口部                        Ｓ２  閉鎖部
１  インナーシート部                １ａ  陰茎挿入孔
２  アウターシート部                ２ａ  内面
２ｂ  開口縁                        ３  着用手段
４  吸水性シート                    ５  引き手
【図１】
0003152833.tif 000003
【図２】
0003152833.tif 000004
【図３】
0003152833.tif 000005